(57)【要約】【課題】高ＮＡ対応のような漏れ磁界の大きなレンズ駆動装置に対して確実に吸着でき、かつベース部材料が非磁性材料である場合にも使用可能なレンズ駆動装置の位置調整方法を提供する。【解決手段】アクチュエータ１０の位置および傾きを調整する時に、ベース部２を、同一の磁極を有する一組の支持ピン２２ａ・２２ｂによって支持し、一組の支持ピン２２ａ・２２ｂに巻かれたコイル２１ａ・２１ｂへの通電によって一組の支持ピン２２ａ・２２ｂの磁界を変化させる。【選択図】  図１
2004272943.tif 000002
【特許請求の範囲】
【請求項１】
光ディスクへ情報の記録再生を行なうための光を集光する集光レンズと、上記集光レンズを駆動するレンズ駆動機構と、該レンズ駆動機構を設置するベース部と、該ベース部に上記集光レンズを挟んで対向配置した一組の磁石とからなるレンズ駆動装置を含む光ヘッドの該光ヘッド筐体内にて、上記レンズ駆動装置の位置および傾きの調整を行なうレンズ駆動装置の位置調整装置であって、
上記ベース部を支持する同一極性の一組の磁性支持体と、該一組の磁性支持体の各々に巻かれたコイルとを備え、
上記コイルに対する通電により、上記一組の磁性支持体の磁界を変化させるものであることを特徴とするレンズ駆動装置の位置調整装置。
【請求項２】
上記一組の磁性支持体は、上記ベース部上の上記一組の磁石が配置された位置のいずれか一方の背面に吸着固定するものであることを特徴とする請求項１に記載のレンズ駆動装置の位置調整装置。
【請求項３】
上記コイルに対する通電は、上記一組の磁性支持体の磁界を増す方向の通電であることを特徴とする請求項２に記載のレンズ駆動装置の位置調整装置。
【請求項４】
上記コイルに対する通電は、上記ベース部に対する磁気的な吸着固定を解除する時には、上記一組の磁性支持体の磁界を反転させる通電であることを特徴とする請求項１ないし３の何れか１項に記載のレンズ駆動装置の位置調整装置。
【請求項５】
光ディスクへ情報の記録再生を行なうための光を集光する集光レンズと、上記集光レンズを駆動するレンズ駆動機構と、該レンズ駆動機構を設置するベース部と、該ベース部に上記集光レンズを挟んで対向配置した一組の磁石とからなるレンズ駆動装置を含む光ヘッドの該光ヘッド筐体内にて、上記レンズ駆動装置の位置および傾きの調整を行なうレンズ駆動装置の位置調整方法であって、
上記ベース部を支持する同一極性の一組の磁性支持体の各々に巻かれたコイルに通電することによって、上記一組の磁性支持体の磁界を変化させることを特徴とするレンズ駆動装置の位置調整方法。
【発明の詳細な説明】
【０００１】
【発明の属する技術分野】
本発明は、光ディスク装置におけるレンズ駆動装置の位置および傾きの調整を行なうレンズ駆動装置の位置調整装置および位置調整方法に関するものである。
【０００２】
【従来の技術】
光ディスクの記録、再生を行なう光ヘッドの組み立て時には、集光レンズを搭載するレンズ駆動装置、つまりアクチュエータを、光学部品ベースに固定することが重要である。アクチュエータを光学部品ベースに固定する場合の調整は、主として光ディスクに対する傾きの調整であったが、光ヘッドの高ＮＡ（ｎｕｍｅｒｉｃａｌ  ａｐｅｒｔｕｒｅ；開口数）化に伴い、その他の調整も必要となってきている。その他の調整とは、例えば、ディスクと平行な面内での位置調整や、ガイド軸とレンズとの高さ方向の位置関係の調整である。
【０００３】
このような多岐にわたる調整では、ねじなどの機械的な部品を使用せずに、アクチュエータを光学部品ベースに固定する方法が有効である。機械的な部品を使用しない方法として、アクチュエータを磁力によって吸着する方法がある。この方法によれば、省スペースでアクチュエータを固定できる点が有利であり、またアクチュエータを機械的に固定するよりも固定時の機構を簡単にできる点でも有利である。
【０００４】
アクチュエータを磁力によって吸着する方法の一例を図６に示した。すなわち、従来のレンズ駆動装置の磁気的支持機構を図６（ｂ）に示す。図６（ａ）は従来のレンズ駆動装置を正面から見た図であり、（ｂ）は従来のレンズ駆動装置を支持している状態を正面から見た図である。
【０００５】
図６に示すように、ベース部２０２の磁気的吸着によってアクチュエータ２１０を支持する場合、磁気回路２１５を形成して吸着することが多く、このような技術は例えば、特開２００２−２５１７５８号公報（特許文献１）に開示されている。
【０００６】
磁気回路２１５を形成してアクチュエータ２１０を磁気的に吸着する技術が広く用いられる理由は、アクチュエータ２１０の位置および傾きの調整時に、コイルが巻かれたレンズホルダ２０４に磁界の影響を与えないようにするためである。つまり、磁界はアクチュエータ２１０のベース部２０２から、漏れないように設定される。
【０００７】
これは、アクチュエータ２１０上部のレンズホルダ２０４制御用の磁石２０３（２０３ａ・２０３ｂ）の磁界の方向と、アクチュエータ２１０下部の支持ピン２２２（２２２ａ・２２２ｂ）およびコイル２２１（２２１ａ・２２１ｂ）からなるアクチュエータ２１０吸着用の磁性支持体２２５の磁界の方向と、が部分的に平行であるため、双方の磁界の混在を防ぐ必要があるからである。
【０００８】
【特許文献１】
特開２００２−２５１７５８号公報（２００２年９月６日公開）
【０００９】
【発明が解決しようとする課題】
しかしながら、上述のような従来の方法では、高ＮＡ対応のような漏れ磁界の大きなレンズ駆動装置に対する吸着が不安定になるという問題があった。
【００１０】
例えば、レンズホルダ２０４制御用の磁石２０３の磁界が、ベース部２０２の下部に漏れるほどの強い磁力を有するアクチュエータ２１０を支持する場合、支持ピン２２２ａ・２２２ｂの双方の磁極が反対であるため、一方では磁力が増し、他方では反発する。これによって、アクチュエータ２１０とベース部２０２との間において、吸着力のアンバランスが生じる。
【００１１】
ベース部２０２が非磁性である場合、アクチュエータ２１０を吸着するには、ベース部２０２の上部にあるレンズホルダ２０４制御用の磁石２０３を吸着しなくてはならない。しかしながら、レンズホルダ２０４に巻かれたコイル、すなわちレンズホルダ２０４制御用の磁石２０３にも吸着用の磁性支持体２２５の磁界が当然影響することになる。
【００１２】
したがって、磁性支持体２２５がアクチュエータ２１０に磁気的吸着した状態にて、レンズの位置および傾きが調整された後、磁性支持体２２５の磁力が開放されると、調整済のレンズの位置および傾きが変化してしまうという問題が生じる。ここで、磁性支持体２２５の磁力が開放されるとは、磁性支持体２２５と、レンズホルダ２０４制御用の磁石２０３と、がアクチュエータ２１０を介して磁気的に吸着していた状態が解消されることをいう。
【００１３】
本発明は、上記の問題点に鑑みてなされたものであり、その目的は、高ＮＡ対応のような漏れ磁界の大きなレンズ駆動装置に対して確実に吸着でき、かつベース部材料が非磁性材料である場合にも使用可能なレンズ駆動装置の位置調整装置および位置調整方法を提供することにある。
【００１４】
【課題を解決するための手段】
本発明のレンズ駆動装置の位置調整装置は、上記の課題を解決するために光ディスクへ情報の記録再生を行なうための光を集光する集光レンズと、上記集光レンズを駆動するレンズ駆動機構と、該レンズ駆動機構を設置するベース部と、該ベース部に上記集光レンズを挟んで対向配置した一組の磁石とからなるレンズ駆動装置を含む光ヘッドの該光ヘッド筐体内にて、上記レンズ駆動装置の位置および傾きの調整を行なうレンズ駆動装置の位置調整装置であって、上記ベース部を支持する同一極性の一組の磁性支持体と、該一組の磁性支持体の各々に巻かれたコイルとを備え、上記コイルに対する通電により、上記一組の磁性支持体の磁界を変化させるものであることを特徴としている。
【００１５】
上記の発明によれば、ベース部を支持する一組の磁性支持体が同一の極性を有しているため、一組の磁性支持体の双方のベース部に対する磁気的吸着力は、ほぼ均等となり、一組の磁性支持体によるベース部の支持が安定したものとなる。
【００１６】
また、磁界がベース部の下に漏れるようなレンズ駆動装置を位置および傾き調整する場合においても、一組の磁性支持体の同一の極性とすることによって、特にスペースを必要とすることなく、安定してレンズ駆動装置のベース部を磁気的に支持することができる。
【００１７】
さらに、磁性材料でない金属をベース部に用いた場合においても、一組の磁性支持体の双方のベース部に対する磁気的吸着力が均等であるので、ベース部上の一組の磁石の磁力を利用してベース部を磁気的吸着するために、一組の磁性支持体の磁界を強くしても安定した磁気的吸着力を保持することができる。
【００１８】
したがって、上記の発明によれば、高ＮＡ対応のような漏れ磁界の大きなレンズ駆動装置に対して確実に吸着でき、かつベース部材料が非磁性材料である場合にも使用可能なレンズ駆動装置の位置調整装置を提供することができる。
【００１９】
本発明のレンズ駆動装置の位置調整装置は、上記の構成において、一組の磁性支持体が、ベース部上の一組の磁石が配置された位置のいずれか一方の背面に吸着固定するものであることがより好ましい。
【００２０】
上記の構成によれば、一組の磁性支持体の支持位置を、ベース部上の一組の磁石が配置された位置の背面に置くことで、わずかな磁界の漏れでも、それを利用してレンズ駆動装置を磁気的に吸着することができる。
【００２１】
本発明のレンズ駆動装置の位置調整装置は、上記の構成において、上記コイルに対する通電が、上記一組の磁性支持体の磁界を増す方向の通電であることがより好ましい。
【００２２】
上記の構成によれば、一組の磁石の直下に一組の磁性支持体が配置され、かつレンズ駆動装置の重心から離れた位置に一組の磁性支持体を配置する場合においても、一組の磁性支持体の磁界を増磁することにより、一組の磁性支持体の支持位置に依存せずにレンズ駆動装置の位置および傾きを安定して保持することができる。
【００２３】
本発明のレンズ駆動装置の位置調整装置は、上記の構成において、上記コイルに対する通電が、上記ベース部に対する磁気的な吸着固定を解除する時には、上記一組の磁性支持体の磁界を反転させる通電であることがより好ましい。
【００２４】
上記の構成によれば、レンズ駆動装置の位置および傾きを調整した後に、レンズ駆動装置を一組の磁性支持体から外す時に、上記コイルに一組の磁性支持体の磁界を反転するように通電することにより、その磁気的な反発力を利用できる。したがって、レンズ駆動装置を一組の磁性支持体から外すために、機械的な力を加える必要がなく、レンズ駆動装置を一組の磁性支持体から外す時の外力によるレンズ駆動装置の位置および傾きが変化してしまうといった懸念を根本的に排除できる。
【００２５】
本発明のレンズ駆動装置の位置調整方法は、上記の課題を解決するために、光ディスクへ情報の記録再生を行なうための光を集光する集光レンズと、上記集光レンズを駆動するレンズ駆動機構と、該レンズ駆動機構を設置するベース部と、該ベース部に上記集光レンズを挟んで対向配置した一組の磁石とからなるレンズ駆動装置を含む光ヘッドの該光ヘッド筐体内にて、上記レンズ駆動装置の位置および傾きの調整を行なうレンズ駆動装置の位置調整方法であって、上記ベース部を支持する同一極性の一組の磁性支持体の各々に巻かれたコイルに通電することによって、上記一組の磁性支持体の磁界を変化させることを特徴としている。
【００２６】
上記の方法によれば、高ＮＡ対応のような漏れ磁界の大きなレンズ駆動装置に対して確実に吸着でき、かつベース部材料が非磁性材料である場合にも使用可能なレンズ駆動装置の位置調整方法を提供することができる。
【００２７】
【発明の実施の形態】
本発明の実施の一形態について、図１〜図６に基づいて説明すれば、以下の通りである。なお、本発明の権利範囲は、特に、本実施の形態に記載の範囲内に限定されるものではない。
【００２８】
本発明にかかるレンズ駆動装置の位置調整装置１００は、図１に示すように、光ディスクへ情報の記録再生を行なうための光を集光する集光レンズと、集光レンズを駆動するためのレンズ駆動機構、すなわち、集光レンズを保持するレンズホルダ４、給電部５、レンズホルダ４を支持するバネ６、および磁力を使ってこれらを駆動するためのコイル（図示せず、レンズホルダ４に巻かれている）からなるレンズ駆動機構と、レンズ駆動機構を設置するベース部２と、ベース部２に上記集光レンズを挟んで対向配置した一組の磁石３（３ａ・３ｂ）とからなる、アクチュエータ（レンズ駆動装置）１０を含む光ヘッドの該光ヘッド筐体内にて、アクチュエータ１０の位置および傾きの調整を行なうレンズ駆動装置の位置調整装置であって、ベース部２を支持する同一極性の一組の支持ピン（一組の磁性支持体）２２（２２ａ・２２ｂ）と、該一組の支持ピン２２の各々に巻かれたコイル２１（２１ａ・２１ｂ）とを備え、該コイル２１に対して通電することにより、一組の支持ピン２２の磁界を変化させるものである。
【００２９】
本発明にかかるレンズ駆動装置の位置調整装置（以下、アクチュエータ位置調整装置と称する）１００は、光ヘッドの筐体内に、アクチュエータ１０を所定の位置および傾きに調整して固定する時に、光ヘッドの筐体内にてアクチュエータ１０の位置および傾きの調整を行なうための装置である。図１はアクチュエータ位置調整装置１００がアクチュエータ１０を支持している状態を正面から見た図である。
【００３０】
すなわち、アクチュエータ位置調整装置１００は、光ヘッドの組み立て時に、光ヘッドの光学部品ベース１にアクチュエータ１０を磁気的に吸着固定して、アクチュエータ１０を所定の位置および傾きに調整する。
【００３１】
アクチュエータ位置調整装置１００は、さらに、３次元移動軸ｘｙｚと傾斜２軸α、βとを有する支持用ステージ（位置および傾き調整用ステージ）３０を備えている。支持用ステージ３０により、アクチュエータ１０の位置および傾きの調整を行なう。支持用ステージ３０には、一組の支持ピン２２が配置されており、支持ピン２２にはコイル２１が巻かれている。
【００３２】
支持用ステージ３０は、アクチュエータ１０を所定の位置および傾きに調整することができればよく、３次元移動軸と傾斜２軸とを有するものであれば、特に限定されるものではない。例えば、従来一般に使用される位置および傾きを調整するための器具を用いることができる。
【００３３】
すなわち、アクチュエータ位置調整装置１００は、一組の支持ピン２２（２２ａ・２２ｂ）によってアクチュエータ１０のベース部２を磁気的に吸着することにより支持するとともに、支持用ステージ３０によってアクチュエータ１０の位置および傾きの調整を行なう。
【００３４】
アクチュエータ位置調整装置１００は、さらに、装置ベース部４０、および支持部５０（５０ａ・５０ｂ）を備えている。光ヘッドの光学部品ベース１は、装置ベース部４０上にある支持部５０（５０ａ・５０ｂ）によって支持される。支持部５０には、光学部品ベース１の位置基準３１・３２が取り付けられている。位置基準３１・３２は、光学部品ベース１や、アクチュエータ１０の位置および傾き調整時の基準となる。
【００３５】
アクチュエータ１０のベース部２上の一組の磁石３ａ・３ｂは、レンズホルダ４を挟むように、対向して取り付けられている。図１中の一組の磁石３ａ・３ｂに記載されたＳおよびＮは、レンズホルダ４を駆動するために必要な磁界を発生させる際に、磁石３ａ・３ｂにそれぞれ現れる極性である（図２〜図５についても同様）。
【００３６】
アクチュエータ１０は、レンズホルダ４を駆動して、光ディスク上のレーザ光の焦点を調整するフォーカスサーボを行なう（図において、ヨーク（磁性体）などは省略する）。
【００３７】
一組の支持ピン２２（２２ａ・２２ｂ）は、同一の極性を有するものであればよく、その形状や材質については特に限定されるものではない。従来一般に磁性支持体として使用されている支持ピンを用いることができる。
【００３８】
一組の支持ピン２２の各々に巻かれたコイル２１（２１ａ・２１ｂ）についても、コイル２１に対する通電により、一組の支持ピン２２の磁界を変化させることができればよく、その形状や材質については特に限定されるものではない。従来一般に磁性支持体のコイルとして使用されているコイルを用いることができる。
【００３９】
図２に示すように、アクチュエータ１０が有する磁界（磁路）７は、アクチュエータ１０のベース部２からはみ出している。すなわち、アクチュエータ１０は、高ＮＡ対応のような漏れ磁界の大きなアクチュエータであって、ベース部２の下側へ磁界が漏れ出すものである。ベース部２の下側とは、一組の磁石３ａ・３ｂが備えられている側の面の背面を指す。
【００４０】
このような、漏れ磁界の大きなアクチュエータ１０のベース部２を支持する場合には、図３（ａ）および図３（ｂ）に示すように、アクチュエータ位置調整装置１００の一組の支持ピン２２の極性が同方向をなすものであることが好ましい。図３（ａ）および図３（ｂ）には、本発明にかかるアクチュエータ位置調整装置１００の磁気的支持機構が示される。
【００４１】
図３（ａ）は、本発明にかかるアクチュエータ位置調整装置１００がアクチュエータ１０を支持している状態を側面から見た図であり、図３（ｂ）は正面から見た図である。
【００４２】
図３（ａ）のように一組の支持ピン２２ａ・２２ｂがともに同極性の場合、一組の支持ピン２２ａ・２２ｂと、アクチュエータ１０の磁石３ａの極性との間において、磁界（磁路）１５を形成して、互いに引き合うことになる。これによって、ベース部２を介した、一組の支持ピン２２ａ・２２ｂのアクチュエータ１０に対する磁気的吸着が安定して成立する。
【００４３】
これに対して、上述した図６のように、支持ピン２２２ａ・２２２ｂごとに極性が異なる場合は、漏れ磁界によって、一方の支持ピン２２２ｂはベース部２０２に吸着、他方の支持ピン２２２ａはベース部２０２に反発するということになり、安定した磁気的吸着が成立しない。
【００４４】
また、図３（ａ）および図３（ｂ）に示す一組の支持ピン２２ａ・２２ｂと、アクチュエータ１０の磁石３ａとの磁気的吸着の関係は、アクチュエータ１０のベース部２の下側に漏れ出す磁界との間で成り立つ。このため、この構成によってアクチュエータ１０のベース部２を磁気的に吸引する場合、ベース部２の材料に非磁性材料を選ぶことができる。したがって、ベース部２を磁性材料よりも軽量な非磁性材料により構成することによって、アクチュエータ１０の軽量化を図ることができる。
【００４５】
本発明にかかるレンズ駆動装置の位置調整方法（以下、アクチュエータ位置調節方法と称する）は、ベース部２を支持する同一の極性を有する一組の支持ピン２２（２２ａ・２２ｂ）の各々に巻かれたコイル２１（２１ａ・２１ｂ）に通電することによって、一組の支持ピン２２の磁界を変化させる方法である。
【００４６】
アクチュエータ１０の位置および傾きを調整する時に、ベース部２を、同一の磁極を有する一組の支持ピン２２（２２ａ・２２ｂ）によって支持し、一組の支持ピン２２（２２ａ・２２ｂ）に巻かれたコイル２１（２１ａ・２１ｂ）への通電によって一組の支持ピン２２（２２ａ・２２ｂ）の磁界を変化させることによって、光ヘッド筐体に対して漏れ磁界の大きいアクチュエータ１０を固定する際に、アクチュエータ１０を省スペースで安定に支持することができる。
【００４７】
すなわち、本発明にかかるアクチュエータ位置調節方法は、コイル２１に通電する電流量または電流の方向を変えることによって、同一の極性を有する一組の支持ピン２２（２２ａ・２２ｂ）の磁界を変化させる方法である。
【００４８】
次に、ベース部２上の一組の磁石３ａ・３ｂと、一組の支持ピン２２ａ・２２ｂとの位置関係について説明する。
【００４９】
本発明にかかるアクチュエータ位置調整装置１００は、一組の支持ピン２２ａ・２２ｂが、ベース部２上の一組の磁石３ａ・３ｂが配置された位置のいずれか一方の背面に吸着固定するものであることがより好ましい。光ヘッドの光源からの光は、多くの場合において一組の磁石３ａ・３ｂの一方の直下を通ってレンズホルダ４の集光レンズに導かれるからである。図３（ｂ）においては、一組の支持ピン２２ａ・２２ｂを磁石３ａの直下に配置した構成を示す。
【００５０】
アクチュエータ１０の漏れ磁界が、わずかだけベース部２の下に漏れる場合には、できるだけ漏れ磁界の強まりやすい位置に一組の支持ピン２２ａ・２２ｂを配置することが好ましく、一組の支持ピン２２ａ・２２ｂを、一組の磁石３ａまたは３ｂのいずれか一方の直下に持っていくことがより好ましい。
【００５１】
アクチュエータ１０の漏れ磁界がわずかだけベース部２の下に漏れる場合に、一組の支持ピン２２ａ・２２ｂを、一組の磁石３ａまたは３ｂの直下に配置することにより、一組の支持ピン２２ａ・２２ｂがともに同一の極性を持つという性質をより効率的に活用することができる。
【００５２】
本発明にかかるアクチュエータ位置調節方法は、漏れ磁界がベース部２まで漏れる大きさであるアクチュエータ１０を支持する場合には、一組の支持ピン２２ａ・２２ｂが、ベース部２上の一組の磁石３ａまたは３ｂが配置された位置のいずれか一方の背面に吸着固定することが好ましい。
【００５３】
図３（ｂ）に示される構成の場合、一組の支持ピン２２の位置は、磁石３ａの直下に配置されており、アクチュエータ１０の重心から離れた場所を支持している。このように、一組の支持ピン２２がアクチュエータ１０の重心から離れた場所を支持する場合、重心ずれの影響によりベース部２の磁石３ｂが設置された側が下がる力が発生する。そのため、一組の支持ピン２２の磁気的吸引力は、磁石３ｂが設置された側が下がる力を打ち消すことができる程度の磁気的吸引力であることが好ましい。
【００５４】
すなわち、本発明にかかるアクチュエータ位置調整装置１００は、コイル２１（２１ａ・２１ｂ）に対する通電が、一組の支持ピン２２（２２ａ・２２ｂ）の磁界を増す方向の通電であることがより好ましい。これによって、一組の支持ピン２２の支持位置に依存しない安定した支持を獲得できる。
【００５５】
例えば、図４は、図中の矢印Ｉｐにて示した方向の電流Ｉｐをコイル２１に流すにことによって、一組の支持ピン２２（２２ａ・２２ｂ）の磁界１８を強めることができる場合を示す。すなわち、図４には、本発明にかかるアクチュエータ位置調整装置１００の磁気的操作を示す。図４は、本発明にかかるアクチュエータ位置調整装置１００がアクチュエータ１０を支持している状態を正面から見た図である。
【００５６】
図３（ｂ）には磁気的操作を行なっていない時の一組の支持ピン２２（２２ａ・２２ｂ）の磁界１５を実線で示した。これに対して、電流Ｉｐをコイル２１に流すにことによって、一組の支持ピン２２（２２ａ・２２ｂ）の強まった磁界１８を太線で示した。
【００５７】
この場合、コイル２１（２１ａ・２１ｂ）に対する通電における電流値を、Ｉｐと設定することによって、一組の支持ピン２２（２２ａ・２２ｂ）は、磁石３ｂが設置された側が下がる力を打ち消すことができる程度の磁気的吸引力を得ることができる。これによって、アクチュエータ位置調整装置１００は、一組の支持ピン２２の支持位置に依存しない安定した支持を獲得できる。
【００５８】
本発明にかかるアクチュエータ位置調節方法は、一組の支持ピン２２がアクチュエータ１０の重心から離れた場所を支持する場合には、一組の支持ピン２２（２２ａ・２２ｂ）の磁界を増す方向に、コイル２１（２１ａ・２１ｂ）に通電することがより好ましい。
【００５９】
次に、アクチュエータ１０の位置および傾きを調整した後に、アクチュエータ１０のベース部２から一組の支持ピン２２（２２ａ・２２ｂ）を放す場合について説明する。
【００６０】
本発明にかかるアクチュエータ位置調整装置１００は、コイル２１（２１ａ・２１ｂ）に対する通電が、ベース部２に対する磁気的な吸着固定を解除する時には、一組の支持ピン２２（２２ａ・２２ｂ）の磁界を反転させる通電であることがより好ましい。
【００６１】
例えば、図５（ａ）および図５（ｂ）には、アクチュエータ１０を所定の位置および傾きに調整するための３次元的な調整を行なって、位置および傾き調整後のアクチュエータ１０を接着剤により固定した後に、コイル２１（２１ａ・２１ｂ）に通電する場合が示される。すなわち、図５には、本発明にかかるアクチュエータ位置調整装置１００の磁気的操作を示す。図５（ａ）および図５（ｂ）は、本発明にかかるアクチュエータ位置調整装置１００がアクチュエータ１０を支持している状態を正面から見た図である。
【００６２】
この場合、図５（ｂ）中の矢印Ｉｍにて示した方向の電流Ｉｍをコイル２１に流すにことによって、一組の支持ピン２２（２２ａ・２２ｂ）の磁界１６を図５（ａ）のようにキャンセルしていく。すなわち、図５（ａ）に示される一組の支持ピン２２（２２ａ・２２ｂ）の磁界１６は弱まる。
【００６３】
図３（ｂ）には磁気的操作を行なっていない時の一組の支持ピン２２（２２ａ・２２ｂ）の磁界１５を実線で示した。これに対して、電流Ｉｍをコイル２１に流すにことによって、一組の支持ピン２２（２２ａ・２２ｂ）の弱まった磁界１６を点線で示した。
【００６４】
さらにコイル２１に対して通電する電流値Ｉｍを上げれば、磁極性を反転できる。すなわち、図５（ｂ）においては、Ｎ極からＳ極へ反転することができる。この磁極の反転操作は、磁石３ａと、一組の支持ピン２２（２２ａ・２２ｂ）との間において、反発力１７ａ・１７ｂを発生することができる。
【００６５】
この反発力１７ａ・１７ｂよって、アクチュエータ１０の位置および傾き調整固定後に、ベース部２から一組の支持ピン２２（２２ａ・２２ｂ）を、全く外力をかけずに放すことができる。
【００６６】
本発明にかかるアクチュエータ位置調節方法は、ベース２部に対する磁気的な吸着固定を解除する時には、一組の支持ピン２２（２２ａ・２２ｂ）の磁界を反転させるように上記コイル２１に通電することがより好ましい。
【００６７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００６８】
【発明の効果】
本発明のレンズ駆動装置の位置調整装置は、以上のように、光ディスクへ情報の記録再生を行なうための光を集光する集光レンズと、上記集光レンズを駆動するレンズ駆動機構と、該レンズ駆動機構を設置するベース部と、該ベース部に上記集光レンズを挟んで対向配置した一組の磁石とからなるレンズ駆動装置を含む光ヘッドの該光ヘッド筐体内にて、上記レンズ駆動装置の位置および傾きの調整を行なうレンズ駆動装置の位置調整装置であって、上記ベース部を支持する同一極性の一組の磁性支持体と、該一組の磁性支持体の各々に巻かれたコイルとを備え、上記コイルに対する通電により、上記一組の磁性支持体の磁界を変化させるものである。
【００６９】
それゆえ、ベース部を支持する一組の磁性支持体が同一の極性を有しているため、一組の磁性支持体の双方のベース部に対する磁気的吸着力は、ほぼ均等となり、一組の磁性支持体によるベース部の支持が安定したものとなる。
【００７０】
磁界がベース部の下に漏れるようなレンズ駆動装置を位置および傾き調整する場合においても、一組の磁性支持体の同一の極性とすることによって、特にスペースを必要とすることなく、安定してレンズ駆動装置のベース部を磁気的に支持することができる。
【００７１】
磁性材料でない金属をベース部に用いた場合においても、一組の磁性支持体の双方のベース部に対する磁気的吸着力が均等であるので、ベース部上の一組の磁石の磁力を利用してベース部を磁気的吸着するために、一組の磁性支持体の磁界を強くしても安定した磁気的吸着力を保持することができる。
【００７２】
すなわち、磁界がベース部の下に漏れるようなレンズ駆動装置の位置および傾き調整する場合に、省スペースでのレンズ駆動装置の磁気的な支持を可能とし、磁性材料でない金属をベース部に用いた場合でも安定して磁気的に吸着できる。
【００７３】
したがって、上記の発明によれば、高ＮＡ対応のような漏れ磁界の大きなレンズ駆動装置に対して確実に吸着でき、かつベース部材料が非磁性材料である場合にも使用可能なレンズ駆動装置の位置調整装置を提供することができるという効果を奏する。
【００７４】
本発明のレンズ駆動装置の位置調整装置は、上記の構成において、一組の磁性支持体が、ベース部上の一組の磁石が配置された位置のいずれか一方の背面に吸着固定するものであることがより好ましい。
【００７５】
それゆえ、一組の磁性支持体の支持位置を、ベース部上の一組の磁石が配置された位置の背面に置くことで、わずかな磁界の漏れでも、それを利用してレンズ駆動装置を磁気的に吸着することができるという効果を奏する。
【００７６】
本発明のレンズ駆動装置の位置調整装置は、上記の構成において、上記コイルに対する通電が、上記一組の磁性支持体の磁界を増す方向の通電であることがより好ましい。
【００７７】
磁界を強くすることができるので、ベースの外に漏れる磁界がわずかな場合でも磁気的な吸着が可能となる。
【００７８】
それゆえ、一組の磁石の直下に一組の磁性支持体が配置され、かつレンズ駆動装置の重心から離れた位置に一組の磁性支持体を配置する場合においても、一組の磁性支持体の磁界を増磁することにより、一組の磁性支持体の支持位置に依存せずにレンズ駆動装置の位置および傾きを安定して保持することができるという効果を奏する。
【００７９】
本発明のレンズ駆動装置の位置調整装置は、上記の構成において、上記コイルに対する通電が、上記ベース部に対する磁気的な吸着固定を解除する時には、上記一組の磁性支持体の磁界を反転させる通電であることがより好ましい。
【００８０】
磁界を強くすることができる一方で、磁極も反転できるので、磁性支持体をベースから放す場合にも有効である。
【００８１】
それゆえ、レンズ駆動装置の位置および傾きを調整した後に、レンズ駆動装置を一組の磁性支持体から外す時に、上記コイルに一組の磁性支持体の磁界を反転するように通電することにより、その磁気的な反発力を利用できる。したがって、レンズ駆動装置を一組の磁性支持体から外すために、機械的な力を加える必要がなく、レンズ駆動装置を一組の磁性支持体から外す時の外力によるレンズ駆動装置の位置および傾きが変化してしまうといった懸念を根本的に排除できるという効果を奏する。
【００８２】
本発明のレンズ駆動装置の位置調整方法は、上記の課題を解決するために、光ディスクへ情報の記録再生を行なうための光を集光する集光レンズと、上記集光レンズを駆動するレンズ駆動機構と、該レンズ駆動機構を設置するベース部と、該ベース部に上記集光レンズを挟んで対向配置した一組の磁石とからなるレンズ駆動装置を含む光ヘッドの該光ヘッド筐体内にて、上記レンズ駆動装置の位置および傾きの調整を行なうレンズ駆動装置の位置調整方法であって、上記ベース部を支持する同一極性の一組の磁性支持体の各々に巻かれたコイルに通電することによって、上記一組の磁性支持体の磁界を変化させることを特徴としている。
【００８３】
上記の方法によれば、高ＮＡ対応のような漏れ磁界の大きなレンズ駆動装置に対して確実に吸着でき、かつベース部材料が非磁性材料である場合にも使用可能なレンズ駆動装置の位置調整方法を提供することができるという効果を奏する。
【図面の簡単な説明】
【図１】本発明にかかるレンズ駆動装置の位置調整装置を示す正面図。
【図２】レンズ駆動装置の漏れ磁界を示すレンズ駆動装置の正面図。
【図３】（ａ）は本発明にかかるレンズ駆動装置の位置調整装置の磁気的支持機構を示す側面図であり、（ｂ）は本発明にかかるレンズ駆動装置の位置調整装置の磁気的支持機構を示す正面図である。
【図４】本発明にかかるレンズ駆動装置の位置調整装置の磁気的操作を行なった場合の強められた磁界を示す正面図である。
【図５】（ａ）は本発明にかかるレンズ駆動装置の位置調整装置の磁気的操作を行なった場合の弱められた磁界を示す正面図であり、（ｂ）は本発明にかかるレンズ駆動装置の位置調整装置の磁気的操作を行なった場合の反発力を示す正面図である。
【図６】（ａ）は従来のレンズ駆動装置を示す正面図であり、（ｂ）は従来のレンズ駆動装置の磁気的支持機構を示す側面図である。
【符号の説明】
１  光学部品ベース
２  ベース部
３（３ａ・３ｂ）  一組の磁石
４  レンズホルダ
１０  アクチュエータ（レンズ駆動装置）
２１（２１ａ・２１ｂ）  コイル
２２（２２ａ・２２ｂ）  一組の支持ピン（一組の支持体）
３０  支持用ステージ
１００  レンズ駆動装置の位置調整装置
【図１】
2004272943.tif 000003
【図２】
2004272943.tif 000004
【図３】
2004272943.tif 000005
【図４】
2004272943.tif 000006
【図５】
2004272943.tif 000007
【図６】
2004272943.tif 000008